(57)【要約】【課題】簡単な構造で、発射ハンドルの操作性を向上させることのできる遊技機を提供する。【解決手段】遊技機の発射ハンドルは、発射ハンドルを取付固定する後方取付部材と、後方取付部材に回動可能に取り付けられ、遊技者の操作により発射勢を調整可能な回動操作部材と、を備え、回動操作部材には、後方取付部材に取り付けられるために形成された凹室の内周壁面に、外方に向かって凹ませた複数の係合溝部が形成され、後方取付部材には、複数の係合溝部に係合する係合部材と、係合部材を付勢する付勢部材と、を備えた係合ユニットが収納され、回動操作部材の回動操作が行われていない状態では、付勢部材により付勢された係合部材の一端が、複数の係合溝部のうち一の係合溝部内に係合した状態に保持され、回動操作部材の回動操作が行われた場合には、係合部材の一端が、付勢部材の付勢力に抗しながら複数の係合溝部上を摺動可能に構成されている。【選択図】図１０
2009142409.tif 000002
【特許請求の範囲】
【請求項１】
遊技領域に遊技球を発射する発射装置と、該発射装置から発射される遊技球の発射勢を調整する発射ハンドルと、を備えた遊技機において、
前記発射ハンドルは、
当該発射ハンドルを遊技機に取り付け固定するための後方取付部材と、
該後方取付部材に回動可能に取り付けられ、遊技者の操作により発射勢を調整可能な回動操作部材と、を備え、
前記回動操作部材には、前記後方取付部材に取り付けられるための凹室が形成され、該凹室の内周壁面に、外方に向かって凹ませた複数の係合溝部が形成され、
前記後方取付部材には、一部が前記係合溝部に係合する係合ユニットが収納され、
前記係合ユニットは、
前記複数の係合溝部に係合する係合部材と、
該係合部材を付勢する付勢部材と、を備え、
前記回動操作部材の回動操作が行われていない状態では、前記付勢部材により付勢された前記係合部材の一端が、前記複数の係合溝部のうち一の係合溝部内に係合した状態に保持され、
前記回動操作部材の回動操作が行われた場合には、前記係合部材の一端が、前記付勢部材の付勢力に抗しながら前記複数の係合溝部上を摺動可能に構成されたことを特徴とする遊技機。
【請求項２】
前記複数の係合溝部は、前記回動操作部材の回動可能な範囲に亘って形成されることを特徴とする請求項１に記載の遊技機。
【請求項３】
遊技領域に遊技球を発射する発射装置と、該発射装置から発射される遊技球の発射勢を調整する発射ハンドルと、を備えた遊技機において、
前記発射ハンドルは、
当該発射ハンドルを遊技機に取り付け固定するための後方取付部材と、
該後方取付部材に回動可能に取り付けられ、遊技者の操作により発射勢を調整可能な回動操作部材と、を備え、
前記回動操作部材には、前記後方取付部材に取り付けられるための凹室が形成され、該凹室の内周壁面に、外方に向かって凹ませた複数の係合溝部が形成され、
前記後方取付部材には、一部が前記係合溝部に係合するとともに弾性を有する弾性部材が収納され、
前記弾性部材には、前記複数の係合溝部に係合するように突出する係合部が形成され、
前記回動操作部材の回動操作が行われていない状態では、前記弾性部材の係合部が、前記複数の係合溝部のうち一の係合溝部内に係合した状態に保持され、
前記回動操作部材の回動操作が行われた場合には、前記弾性部材の係合部が、当該弾性部材の弾性力により前記複数の係合溝部上を摺動可能に構成されたことを特徴とする遊技機。
【発明の詳細な説明】
【技術分野】
【０００１】
本発明は、前面枠の前面下部に、発射装置の発射勢を調整する発射ハンドルが配設される前面下部ユニットを備えたパチンコ遊技機などの遊技機に関する。
【背景技術】
【０００２】
従来、遊技機には遊技者が操作可能なハンドルが設けられ、該ハンドルの操作に基づいて遊技球の発射を行ったり、その発射勢を調整したりできるようになっている。例えば、特許文献１のように、遊技者が実際に発射操作を行うことを条件に、その回動量に応じた発射勢で遊技球を発射可能とする構成と、遊技者のハンドル操作でなく自動発射スイッチの操作によって遊技球を発射可能とする構成と、を備えた遊技機が提供されている。このような遊技機では、例えば遊技者の実際の操作による発射の場合は、遊技者がハンドルに触れており、かつ、そのハンドルを所望の位置まで回動させていることにより、遊技者の所望の位置に遊技球を発射するようになっている。また、自動発射スイッチによる遊技球の発射においては、遊技者がハンドルに触れていなくても、当該自動発射スイッチの操作のみで発射操作を行うことができる。さらにこの自動発射モードにおいては、強弱を調整するスイッチの操作による発射勢調整だけでなく、遊技者が実際に発射操作をしていたときの発射勢を設定しておき、自動発射モードになったときにその設定していた発射勢で遊技球を発射することで、微妙な発射勢の調整も可能としている。
【特許文献１】特開平０９−２１５８２０号公報
【発明の開示】
【発明が解決しようとする課題】
【０００３】
しかし、上記特許文献１のような遊技機では、回動操作に支障のないなめらかな回動を行うものであるので、遊技者が所望の位置に遊技球を発射すべくハンドルの回動操作を行って発射勢の調整をし、調整された発射勢を維持するために遊技者はハンドルの位置を維持させる必要がある。このため、長時間の遊技を行う遊技者の発射操作による手の疲労は非常に大きいものとなってしまう。とくに遊技に対して真剣な遊技者は、ハンドルの回動の微妙な調整まで考慮して遊技を行っているため、手に力が入り、発射操作だけでもかなり負担がかかってしまうこととなり、大きな課題である。
【０００４】
そこで、上記特許文献のような自動発射モードとしてあらかじめ定められた段階的な強弱の調整や、自動発射モード前の発射勢を設定しておいてその発射勢に基づいて遊技球の発射が行われているのであるが、遊技には様々なバリエーションが考えられており、一定の位置に発射をしていたのでは、遊技者が遊技価値を効果的に獲得できない状態となることも考えられるため、自動発射が有効とは言い難いのが現状である。
【０００５】
また、上記したように遊技機のハンドルは、回動操作を容易に、負担のないものとするため、その操作に支障を来さないよう、回転がスムーズな作りになっている。このようなハンドルでは、上記課題である一定の位置を維持することが困難なだけでなく、操作をしている感触、手応えを感じることがほとんどなく、遊技者が遊技に対して唯一自分で行う「発射操作」の実感、その操作の質感を求めることができない。
【０００６】
ここで現在、遊技における規則において、不正行為の防止等の観点から、遊技球の発射を行う最低条件として、遊技者がハンドルに触れていること、一定の位置にハンドルを固定することができないような構成であること、等が掲げられており、上記のような自動発射モードは採用することはできないようになっている。
【０００７】
そこで本発明は、上記のような問題点を解決するためになされたもので、定められた規則を満足しつつ、遊技者のハンドル操作の操作性を向上させることのできる遊技機を提供することを目的とするものである。
【課題を解決するための手段】
【０００８】
本発明は、上記した事情に鑑みて提案されたものであり、請求項１に記載のものは、遊技領域に遊技球を発射する発射装置と、該発射装置から発射される遊技球の発射勢を調整する発射ハンドルと、を備えた遊技機において、前記発射ハンドルは、当該発射ハンドルを遊技機に取り付け固定するための後方取付部材と、該後方取付部材に回動可能に取り付けられ、遊技者の操作により発射勢を調整可能な回動操作部材と、を備え、前記回動操作部材には、前記後方取付部材に取り付けられるための凹室が形成され、該凹室の内周壁面に、外方に向かって凹ませた複数の係合溝部が形成され、前記後方取付部材には、一部が前記係合溝部に係合する係合ユニットが収納され、前記係合ユニットは、前記複数の係合溝部に係合する係合部材と、該係合部材を付勢する付勢部材と、を備え、前記回動操作部材の回動操作が行われていない状態では、前記付勢部材により付勢された前記係合部材の一端が、前記複数の係合溝部のうち一の係合溝部内に係合した状態に保持され、前記回動操作部材の回動操作が行われた場合には、前記係合部材の一端が、前記付勢部材の付勢力に抗しながら前記複数の係合溝部上を摺動可能に構成されたことを特徴とする。
【０００９】
請求項２に記載のものは、請求項１に記載の遊技機であって、前記複数の係合溝部は、前記回動操作部材の回動可能な範囲に亘って形成されることを特徴とする。
【００１０】
請求項３に記載のものは、遊技領域に遊技球を発射する発射装置と、該発射装置から発射される遊技球の発射勢を調整する発射ハンドルと、を備えた遊技機において、前記発射ハンドルは、当該発射ハンドルを遊技機に取り付け固定するための後方取付部材と、該後方取付部材に回動可能に取り付けられ、遊技者の操作により発射勢を調整可能な回動操作部材と、を備え、前記回動操作部材には、前記後方取付部材に取り付けられるための凹室が形成され、該凹室の内周壁面に、外方に向かって凹ませた複数の係合溝部が形成され、  前記後方取付部材には、一部が前記係合溝部に係合するとともに弾性を有する弾性部材が収納され、前記弾性部材には、前記複数の係合溝部に係合するように突出する係合部が形成され、前記回動操作部材の回動操作が行われていない状態では、前記弾性部材の係合部が、前記複数の係合溝部のうち一の係合溝部内に係合した状態に保持され、前記回動操作部材の回動操作が行われた場合には、前記弾性部材の係合部が、当該弾性部材の弾性力により前記複数の係合溝部上を摺動可能に構成されたことを特徴とする。
【発明の効果】
【００１１】
本発明によれば、遊技領域に遊技球を発射する発射装置と、該発射装置から発射される遊技球の発射勢を調整する発射ハンドルと、を備えた遊技機において、前記発射ハンドルは、当該発射ハンドルを遊技機に取り付け固定するための後方取付部材と、該後方取付部材に回動可能に取り付けられ、遊技者の操作により発射勢を調整可能な回動操作部材と、を備え、前記回動操作部材には、その内側内周面に複数の係合溝部が形成され、前記後方取付部材には、一部が前記係合溝部に当接する係合ユニットが収納され、遊技者が回動操作部材を回動操作することで、前記係合ユニットが前記複数の係合溝部上を移動可能に構成されているので、遊技者が発射ハンドルを操作する際、所望の位置に保持させやすくなるので、操作負担の軽減が可能である。
【００１２】
また、操作時にある程度のクリックが発生するため、単に引っかかりのないハンドル操作よりも、質感の向上が図れる。
【００１３】
さらに、複数の係合溝部により、操作時にクリックを発生させるようにしているが、その係合溝部の深さは係合部材の先端が嵌り込んで回動を阻止することのない深さに設定されているので、発射ハンドルを固定することは不可能となり、現在規則において禁止されている発射ハンドルの固定に関する基準を、棒状の係合部材と従来からある巻きバネ等の付勢部材とからなる係合ユニットという簡単な構造で満足することができる。
【発明を実施するための最良の形態】
【００１４】
以下、代表的な遊技機であるパチンコ遊技機を例に挙げて本発明の実施の形態を図面に基づき説明する。図１はパチンコ遊技機１の正面図、図２はガラス枠と上皿ユニットとを省略して前面下部ユニット（下皿ユニット）を取り外した状態におけるパチンコ遊技機の斜視図である。
【００１５】
パチンコ遊技機１は、図１に示すように、機枠（本体枠）２に大きな開口部を有する額縁状の前面枠３の一側（図中左側）を開閉可能に取り付け、この前面枠３のベースとなる前面枠本体４の遊技盤収納部４ａ内に遊技盤５を交換可能な状態で取り付け、遊技盤５の表面には、表示装置６、大入賞口７、一般入賞口８、アウト口９…などを配設した遊技領域１０を区画部材により略円形に囲繞して形成してある。また、前面枠３の前面には、一側（図中左側）が軸着された透明部材保持枠（ガラス枠）１１を回動可能に設け、該透明部材保持枠１１に透視可能な透明部材（ガラス板）を収納して、遊技領域１０を前方から透視可能な状態で覆い、透明部材保持枠１１の下方に前面上部ユニットとしての上皿ユニット１３と、前面下部ユニットとしての下皿ユニット１４とを上下に並べて備えている。そして、このパチンコ遊技機１は、上皿ユニット１３および下皿ユニット１４の間に、遊技状態に応じて音を発生するスピーカーユニット１５を収納している。さらに、パチンコ遊技機１は、下皿ユニット１４の後方であって前面枠本体４の下部に、遊技球を遊技領域１０に向かって発射するための発射装置１６を備えている（図２参照）。
【００１６】
発射装置１６は、上皿ユニット１３に貯留された遊技球を１個ずつ遊技盤５の遊技領域１０に向けて発射可能な装置であり、図２に示すように、前面枠本体４の下部前面に止着されるプレート状の取付基板２１を備え、この取付基板２１に発射杵２２を回動軸２３により軸着し、発射杵２２の下端部分を回動軸２３から下方に延在して遊技球を弾発するための杵先を備えている。また、発射装置１６は、杵先の回動軸２３周りに前進した位置の先方であって、回動軸２３より下方に発射レール２７の遊技球発射位置２８を設定し、遊技球発射位置２８から遊技盤５上の案内誘導路に向かって上り傾斜する状態で発射レール２７を配設している。
【００１７】
また、発射装置１６は、取付基板２１上の発射杵２２と発射レール２７との間に球送り装置３１を備えている。この球送り装置３１は、発射杵２２の発射動作に連動して上皿ユニット１３から遊技球を１個ずつ発射レール２７上の遊技球発射位置２８へ供給するための装置であり、上皿ユニット１３に対向する前面側に、遊技球が丁度１個ずつ流入（通過）可能な程度の大きさで球流入口３３を開設し、発射レール２７に対向する下側傾斜面には、遊技球を１個ずつ排出可能な球排出口を、球流入口３３に連通する状態で開設している。また、この球送り装置３１は、球流入口３３と球排出口との間の空間に遊技球を１個ずつ球排出口３４へ送り出す球送り部材を備えている。この球送り部材は、前側および下側に開放した状態で遊技球を丁度１個保持可能な空間を有して左右方向へ揺動可能な状態で軸着された部材である。このような球送り部材３５を備えた球送り装置３１は、発射杵２２から延設されたアーム（図示せず）に連動して球送り部材を揺動させて、発射杵２２が遊技球発射位置２８から後退したタイミングで球流入口３３から受け入れた遊技球を球
排出口から送り出せるように構成されている。
【００１８】
上皿ユニット１３は、図１に示すように、前面枠３に対して開閉可能に軸着された開閉パネル３８と、該開閉パネル３８の前面側に設けられる上皿３９と、該上皿３９の前方および下方を覆う上皿カバー部材４０と、開閉パネル３８が開かれると上皿３９から球送り装置への球の流れを止める球止めユニット（図示せず）などから概略構成されている。
【００１９】
一方、下皿ユニット１４は、図３〜図５に示すように、前面枠本体４の下部に取り付けられるベース部材４１と、該ベース部材４１の前面に設けられる下皿４２と、該下皿４２の前面、側面および下面を覆う下皿カバー部材とから概略構成されている。そして、この下皿ユニット１４は、右側（上皿ユニット１３の開放側、前面枠３の開放側に位置する部分）に、上縁を他の部分よりも高く設定した右下拡大部を設け、この右下拡大部の前面側下部に、発射装置１６の発射勢を調整するために遊技者が操作する発射ハンドル４５を取り付け、また、下皿４２の左側（上皿ユニット１３の軸着側）の左下部に灰皿４６を取り付けている。
【００２０】
ベース部材４１は、下皿ユニット１４のベースとなる合成樹脂製の横長な板状部材であり、左右方向のほぼ中央に、遊技球が下皿４２に流入するための下皿球出口４７を開設し、該下皿球出口４７の左側に灰皿取付部４８を形成するとともに灰皿取付部４８の両側にカバー部材の止着爪部を係合する止着爪受部４９を形成し、前記下皿球出口４７の両側に下皿４２の位置決めボス５０とカバー部材の止着ボス５１を突設し、下皿球出口４７には、上皿３９が満杯になったときに遊技球が流下するオーバーフロー流路を連通させる。
【００２１】
また、このベース部材４１は、上縁を開閉パネル３８の下縁に合わせた形状に形成すると共に断面コ字状に屈曲した不正防止壁５２を形成し、上皿ユニット１３の開放端側（図２中右端）が位置する部分には、右下拡大部のベースとなる延出ベース５３を形成し、この延出ベース５３の裏面に金属板製の係止片５４を、上皿ユニット１３の開放側端部、すなわち係止爪（図示せず）に対応した部分と対向する箇所に横方向に突設した状態で設け、上皿ユニット１３が閉じた状態で係止爪が係止片５４に係止できるように構成されている。
【００２２】
そして、このベース部材４１の延出ベース５３には、発射ハンドル４５の後方取付部材を取り付けるための取付凹部５５を断面円形の窪みとして形成し、該取付凹部５５の開口前端から前方に向けて延出支持部５６を短い筒状に延出し、該延出支持部５６により前記後方取付部材を支持する構成とする。また、筒状延出支持部５６の基端の一部に隆出部５７を円弧状に形成し、該隆出部５７の内部と延出支持部５６の底面との間に、図示しない配線通過空間を開設し、該配線通過空間内に、後述する発射ハンドル４５の配線を挿通する。
【００２３】
下皿４２は、上皿３９が満杯になってオーバーフローした遊技球や、後述する球抜き流路を通って上皿３９から流下してきた遊技球を貯留可能な部材であり、上方が開放（開口）した比較的浅い箱状体として構成され、底部に開閉可能な取出口５９を備えており、取出レバー６０を操作することによって取出口５９を開口させて、下皿４２から遊技球を下方に落下できるように構成されている。
【００２４】
下皿カバー部材は、ベース部材４１の前面から遊技者側へ突出（膨出）した形状を呈しており、本実施形態では、主として下皿４２をカバーする第１カバー部材６１と、発射ハンドル４５を取り付けた右下拡大部の右半部分をカバーする第２カバー部材６２と、灰皿４６を取り付けた左下部の左半部分をカバーする第３カバー部材６３との３つに分割され、第１，第２，第３カバー部材６１，６２，６３を適宜な色彩、例えば、左右の第２，第３カバー部材６２，６３を同じ色彩にして、中央の第１カバー部材６１とは異ならせたり、あるいはそれぞれ異なる色彩にしたり、自由に選択した色彩のプラスチックで成型できるように構成されている。
【００２５】
第１カバー部材６１は、下皿４２の上端が丁度入り込む切込み部６４を形成した上面部６１ａと、下皿４２の左側から前方と右側面から右下拡大部の一部、具体的には発射ハンドル４５の取付凹部５５の左半をカバー可能な前面部６１ｂと、下皿４２の下面を主としてカバーする下面部６１ｃとから概略構成されたプラスチック成型品であり、前面部６１ｂの右端には、発射ハンドル４５の付根部分（本発明の取付基部に相当）とベース部材４１から突出した前記延出支持部５６を挿通する挿通孔６５の片半（左半）となる半円切欠部６６を形成し、該半円切欠部６６の半円形の縁から後方に向けて縁壁６７を形成してある。また、前面部６１ｂの左端には、灰皿４６の付根部分を挿通する挿通孔の片半（右半）となる半円切欠部６８を形成してある（図５）。
【００２６】
第２カバー部材６２は、ベース部材４１の右下拡大部の右側片半を被覆可能なパネル状のプラスチック成型品であり、前面部６２ａの周囲の縁から後方に向けて縁壁６２ｂを形成し、左端には、発射ハンドル４５の付根部分とベース部材４１から突出した前記延出支持部５６を挿通する挿通孔６５の片半となる半円切欠部６９を形成し、該半円切欠部６９の半円形の縁から後方に向けて縁壁７０を形成し、半円切欠部６９を形成していない左端の縁壁には断面Ｌ字状の係合部７１を、先端を前方に向けて形成してある。
【００２７】
第３カバー部材６３は、ベース部材４１の左下部の左側片半を被覆可能なパネル状のプラスチック成型品であり、前面部６３ａの周囲の縁から後方に向けて縁壁６３ｂを形成し、右端には、灰皿４６の付根部分を挿通する挿通孔の片半（左半）となる半円切欠部７２を形成し、該半円切欠部７２の半円形の縁から後方に向けて縁壁７３を形成すると共に、係止爪７４を後方に向けて突設してある。
【００２８】
上記の第１，第２，第３カバー部材６１，６２，６３をベース部材４１へ取り付けることで、図５に示すように、第１カバー部材６１、第２カバー部材６２の各半円切欠部６６，６９が組み合わさって円形の挿通孔６５が形成され、ベース部材４１の延出支持部５６がこの挿通孔６５内を貫通して前面開口縁から前方に突出する。
【００２９】
発射ハンドル４５は、図３以降に示すように、下皿ユニット１４の右下拡大部の取付凹部５５に取り付けられる後方取付部材８０と、該後方取付部材８０の前面側に配設される前方把持部材８１と、該前方把持部材８１と前記後方取付部材８０との間に回動可能に保持される円盤状の回動操作部材８２とから概略構成されている。この発射ハンドルの構成については後に詳述する。
【００３０】
斯かる構成からなる発射ハンドル４５を前面下部ユニットである下皿ユニット１４に取り付けるには、挿通孔６５から前方に筒状に突出している延出支持部５６内に後方取付部材８０の先端（本発明の取付基部）を挿入し、図８（ｂ）に示すように、十分に押込んで先端、すなわち後方取付部材８０の取付基部８０ａを取付凹部５５の底部に当接し、ベース部材４１の裏側から止着ねじ等の止着部材を底部に開設されたねじ孔８５内に挿入し、この止着ねじを締め込むことにより発射ハンドル４５の後方取付部材８０の取付基部８０ａを止着する。
【００３１】
この様にして発射ハンドル４５を前面下部ユニットに取り付けると、図８（ｂ）に示すように、ベース部材４１から前方に向けて延出した筒状の延出支持部５６が発射ハンドル４５の後方取付部材８０の取付基部８０ａを内包して従来よりも長い範囲で支持することになり、大きな荷重に耐え得ることになり、また、カバー部材の挿通孔６５から後方に向けて形成した縁壁が前記延出支持部５６を外側から支えた状態となる。したがって、発射ハンドル４５に大きな負荷が掛かったとしても、この負荷はベース部材４１側の延出支持部５６によって支えられることになり、さらに本実施形態では延出支持部５６に作用した負荷がその外側の縁壁７３にも分散されて伝達される。このため、発射ハンドル４５に大きな負荷が作用した場合に、ベース部材４１やカバー部材がプラスチック製であっても損傷する虞がない。
【００３２】
また、発射ハンドル４５を前面下部ユニットに取り付けると、ベース部材４１の挿通孔６５の底部に開設された開口８６内を軸８３が貫通し、軸８３の先端に設けたフォーク状のジョイント部８７が発射装置１６の取付基板２１に突設された星型のジョイント部７８に接続する。したがって、発射ハンドル４５の回動操作部材８２を回動すると、この回動量に応じて軸８３が回動して前記星型ジョイント部７８を回動することができ、星型ジョイント部７８に連係した発射付勢ばねの付勢力が変化し、これにより発射装置１６の発射杵２２の発射勢を調整することができる。
【００３３】
なお、図面に示す発射装置１６は、付勢ばねの付勢力により発射杵２２を回動し、これにより遊技球を発射する構成を採っているので、発射ハンドル４５の回動操作部材８２の回動操作量に応じて発射付勢ばねの付勢力を調整して発射勢を調整するようにしたが、本発明はこれに限定されるものではない。例えば、発射杵２２をロータリーソレノイドの回動力により駆動する発射装置の場合には、発射ハンドル４５の回動操作部材８２の回動量に応じて抵抗値が変化するボリュームを設け、このボリュームの抵抗値の変化により発射勢を調整するように構成してもよい。
【００３４】
上記のように遊技機に取り付けられた発射ハンドル４５における本願発明の主要部となる構成を詳述する。
【００３５】
発射ハンドル４５の後方取付部材８０は、下皿ユニット１４の右下拡大部の取付凹部に挿入される円筒状の軸部と、その軸部の先端部分から拡径した略きのこ形をなす拡径部とからなる取付基部８０ａと、拡径部の最大拡径部分と略同一径の円盤状に形成され、当該後方取付部材８０を前方から覆うカバー部８０ｂと、を少なくとも有し、取付基部８０ａとカバー部８０ｂとの内部には、タッチセンサ９０やストップスイッチレバー９１が収納されている。また、カバー部８０ｂは導電性を有する部材で形成されており、その中央に軸８３が回動する際に回動に影響を及ぼさないよう、軸８３の外周に触れずに充分に挿通可能な円形の開口９４が開設され、回動操作部材８２の操作を伝達できるようにしている。また、取付基部８０ａには、軸８３を支持する軸受部８４が形成されている。
【００３６】
ここでこの軸８３は、断面がＤ字状に形成された金属製の軸部材からなり、後述する回動操作部材８２の回動操作に伴い軸受部８４内を回動し、ジョイント部８７を介して発射勢を調整できるように構成されている。
【００３７】
上記のように構成される後方取付部材８０のカバー部８０ｂには、本願発明の主要特徴部の一部をなす係合ユニット１００が収納される係合ユニット収納部１０１が形成される。このカバー部８０ｂは、特に図６、図７及び図９に示すように、円盤状に形成されるベース面９２から、その周縁より後方に向かって起立した所定厚みの導電性を有する周壁９３ａと、その径より僅かに小さい径をなし前方に向かって起立した所定厚みの周壁９３ｂを備えている。
【００３８】
また、上記した軸８３を挿通するための開口９４においても、その径と略同一形状の開口周壁９５が前方に向かって立設され、この周壁９３ｂ内周面の一部と対応する開口周壁９５外周面の一部とを、内部が空洞状をなすトンネル状に連通することで空間を形成し、この空間を係合ユニット収納部１０１に設定している。さらに、このトンネル状に形成された収納空間に対応する周壁９３ｂの外周面には、後述する係合ユニット１００の先端が僅かに露出する係合部材用開口部９８が開設されている。
【００３９】
この係合ユニット収納部１０１に収納される係合ユニット１００は、図８（ｃ）に示すように、係合部材１００ａと付勢部材１００ｂと、により構成されている。ここで係合部材１００ａは、一側先端が半円形状をなす円筒状の棒状部材よりなっており、係合部材１００ａが付勢部材１００ｂとともに係合ユニット収納部１０１に収納された場合に、この半円形状をなす一側先端が、カバー部８０ｂに開設された係合部材用開口９８より僅かに突出する長さに形成されている。この突出した係合部材１００ａの先端は、後述する回動操作部８２の内周面に複数形成された係合溝部１２８に係合する。また、この係合部材１００ａは、付勢部材１００ｂの径より僅かに大きい径をなすように形成されている。
【００４０】
付勢部材１００ｂは、所定間隔で巻かれた円筒状の巻きバネ等からなり、係合ユニット収納空間１０１に収納可能な径で巻かれている。これは、係合ユニット収納空間１０１に収納される際、係合部材１００ａが付勢部材１００ｂに挿通してしまうことを防ぐためである。
【００４１】
上記のような係合ユニット１００は、後方取付部材８０の取付基部８０ａにカバー部８０ｂが止着された状態で係合ユニット収納部１０１に収納される。
【００４２】
なお、この後方取付部材８０には、図５，６に示すようなタッチセンサ９０や、図示しないストップスイッチに作用するストップスイッチレバー９１が収納される。このタッチセンサ９０やストップスイッチレバー９１は、取付基部８０ａとカバー部８０ｂとの間にネジ等の止着部材７８により止着されたり、突設されたボスに対して軸を挿通させることで取り付け、収納されている。
【００４３】
このタッチセンサ９０は、発射ハンドル４５の先端（遊技者側端部）に取り付けられる前方把持部材８１及び回動操作部材８２を手で把持して操作する際、導電性を有するカバー部８０ｂの周壁９３ａに遊技者の手が接触すると、静電容量の変化を感知することで遊技者が触れていることを検出するタッチ検出手段として機能している。また、ストップスイッチレバー９１は、操作片９１ａが取付基部８０ａに形成した切欠き部より突出し、常態では図示しないストップスイッチに作用して発射停止状態を検出しており、遊技者が発射ハンドル４５を操作することでその作用が解除され、発射操作中に遊技者により操作片９１ａが操作されると、ストップスイッチに作用して発射を停止させるものである。
【００４４】
前方把持部材８１は、前方に膨出した半球カップ状の部材であり、その内側面には補強壁部１１１が十字状に立設されており、縦方向の補強壁部１１１の両端には、当該前方把持部材８１を回動操作部８２に取り付けるための止着孔１１２ａを中央に有する止着ボス１１２が形成されている。そして、回動操作部８２とともに回動操作されることで、前記したストップスイッチレバー９１の作用が解除され、発射モータが駆動されるように構成されている。
【００４５】
このような前方把持部材８１と後方取付部材８０との間に回動可能に保持される回動操作部材８２は、円盤状に形成されたベース面１２０の外周に複数の指掛部８２ａを形成している。この指掛部８２ａは、遊技者が発射ハンドル４５を操作する際に指を掛けて操作する部分であり、各々が外方向に向かって山形状となるように形成されており、回動方向と反対側の傾斜部は、回動方向に操作した際に指になじむように回動方向側の傾斜部よりも起立した状態に形成されている。
【００４６】
この回動操作部材８２は、円盤状のベース面１２０の周縁が指掛部８２ａとなる厚みとともに後方に向かって延設されることで後面が開口した円形の凹室状をなしており、この凹室内に後方取付部材８０を収納可能に構成され、その中央には、軸８３の前端が挿通する断面Ｄ形状の軸受孔１２１が開設されている。この軸受孔１２１は、軸８３がちょうど嵌り込む大きさ、すなわち、軸８３の太さとほぼ同一の大きさの開口となっている。
【００４７】
ここで、回動操作部材８２の凹室内周壁１２７には、本願発明の特徴部の一部をなす複数の係合溝部１２８が形成されている。この複数の係合溝部１２８は、回動操作部材８２の回動範囲に亘って形成されており、前記した係合ユニット１００の係合部材１００ａが、所定のクリックを発生させながら係合溝部１２８上を摺動することとなる。
【００４８】
ここで、軸８３は、回動操作部材８２の軸受孔１２１に完全に挿通された状態において、その前端が僅かに軸受孔１２１の端部より突出しており、この突出した前端には、軸受孔１２１の端部と同一面上から所定幅の、止着部材用溝部が形成されている。そして、この止着部材用溝部に固定部材１２６（例えば、Ｅ型リング）を嵌め込むことで軸８３を固定している。
【００４９】
このように構成された回動操作部材８２を遊技者が回動操作することにより、軸受孔１２１に嵌り込んだ軸８３も一緒に回動して後方に連結されたジョイント部８７から星形ジョイント部７８を介してその回動量が伝達されるようになっており、この回動量に基づいて、遊技領域に発射される遊技球の発射勢が調整可能となっている。
【００５０】
以上の部材により構成された発射ハンドル４５は、回動操作部材８２と前方把持部材８１とを、位置決め突起１２５と位置決め凹部１１３との嵌合、止着部材１２２を介した止着ボス１１２の止着孔１１２ａと止着部材７８とによる止着がなされ、さらに後方取付部材の取付基部８０ａとカバー部８０ｂとの間にタッチセンサ９０及びストップスイッチレバー９１が挟持された状態での止着部材７８の止着がなされ、この後方取付部材８０に、前方把持部材８１が止着された回動操作部材８２が取り付けられることで組み付けられている。
【００５１】
上記のように構成された発射ハンドル４５を、遊技者が常態から回動状態に回動操作した際の作用を説明する。
【００５２】
遊技者は遊技を開始すると、遊技領域１０の所望の位置を狙って発射ハンドル４５の回動操作を行う。このとき後方取付部材８０のカバー部８０ｂに遊技者が触れることで、静電容量の変化を感知すると図示しない発射モータが駆動し、かつ、前方把持部材８１及び回動操作部材８２の回動操作によりストップスイッチレバー９１の作用が解除されることで、発射装置１６による発射操作及びその発射勢の調整が行われる。
【００５３】
上記のような前方把持部材８１及び回動操作部材８２の回動操作が行われると、本願発明の特徴部となる回動操作部材８２の内側内周面に形成された複数の係合溝部１２８も移動する。そのため、後方取付部材８０のカバー部８０ｂに収納された係合ユニット１００の係合部材１００ａが、所定のクリックを発生させながら係合溝部１２８上を摺動することとなる。このように回動範囲に亘り形成された複数の係合溝部１２８上を係合部材１００ａの先端が係合しながら移動することで、回動操作を行っている遊技者の操作質感、操作フィーリングを向上させながら遊技球の発射を行うことができるのである。
【００５４】
通常の遊技機の発射ハンドルでは、この係合ユニット１００を具備しておらず、回動操作部材８２側にも工夫が施されていないため、単にひっかかりのない回動操作を行うにとどまり、遊技者が「操作をしている」という実感は得がたいものである。さらに、現状の規則では発射ハンドルを固定できない構造とすることが義務づけられている。そのため、遊技者は常に自分の所望の発射位置を保持することが困難であり、非常に疲労を伴うことになるが、本願発明のように構成することで、固定することが不可能ではあるがある程度の状態保持を補助することが可能となる。
【００５５】
次に、上述した実施形態の遊技機の第２実施形態について図１１、図１２を参照して説明する。なお、基本的には、上述の実施形態の遊技機と同様の構成を有しており、以下、主に異なる部分について説明する。この第２実施形態では、第１の実施形態において係合部材と付勢部材により構成されていた係合ユニットを、所定の弾性を有する弾性部材１３０を後方取付部材８０のカバー部８０ｂに止着部材７８で取り付けることにより構成している。
【００５６】
この弾性部材１３０が取り付けられるカバー部８０ｂは、開口周壁９５の外周面の一部から周壁９３ａの内周面手前に亘ってベース面９２より突設された規制部１３５と、該規制部１３５の先端に対向する周壁９３ａに切欠部１３１が形成されている。この切欠部１３１は、詳細を後述する弾性部材１３０の一部、すなわち、弾性部材１３０が係合溝部１２８と係合するように先端が臨むための切り欠きであり、その端部は所定のテーパ面１３２を有している。また、弾性部材１３０を取付係止するための取付係止片１３０ｄと係合する係止壁１３４が立設されている。
【００５７】
弾性部材１３０は、カバー部８０ｂの周壁９３ａの内周面に、周方向に沿うように形成された板バネ等からなる長尺な部材である。一側端部は前記した係止壁１３４により取付係止されるように略垂直に折り曲げられた取付係止片１３０ｄであり、他側端部は、周方向に所定幅を有しカバー部８０ｂのベース面９２に沿って垂直に折り曲げ形成された止着片１３０ｂである。
【００５８】
また、この弾性部材１３０は、前記したカバー部８０ｂの切欠部１３１に対応する位置が、テーパ面１３２に沿って僅かに傾斜し、その先端は係合溝部１２８との係合部１３０ａとして僅かに切欠部１３１から外方に臨むように形成されている。
【００５９】
弾性部材１３０は、一側端部の取付係止片１３０ｄを係止壁により係止させるように、周壁９３ａ内周面及び切欠部１３１と規制部１３５との間に形成される空隙１３３にスライドするように挿入し、止着部材７８により、カバー部８０ｂの開口に止着される。この開口及び止着部材７８は、カバー部８０ｂと取付基部８０ａとを取り付けるための開口及び止着部材としての機能も有しており、１つの止着でカバー部８０ｂと取付基部８０ａとの止着、カバー部８０ｂに対する弾性部材１３０の止着の２つの止着を可能としている。
【００６０】
上記のような構成、機能を有する弾性部材１３０がカバー部８０ｂに取り付けられた状態において、遊技者が回動操作部材８２の回動操作を行うと、切欠部１３１より突出した係合部１３０ａが、回動操作部材８２の内周面に形成された複数の係合溝部１２８上を、所定のクリックを発生させながら移動する。
【００６１】
これにより、発射操作時の質感の向上や操作フィーリングの向上が図れるのである。さらには、上記した第１の実施形態よりも部品点数が少ないため、コスト削減も可能となる。
【００６２】
ここで、図１３に示す第２実施形態の変形例として、止着部材７８により止着されていた止着片１３０ｂを、一端に形成された取付係止片１３０ｄとほぼ同様の係止片１４０ａを折り曲げ形成することで、カバー部８０ｂから所定幅突設させた係止突部１４１に、係止させて止着するように構成している。
【００６３】
上記変形例のようにすることで、より簡単に弾性部材１４０をカバー部８０ｂに取り付けることが可能となる。
【００６４】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００６５】
例えば、前記した回動操作部材８２に形成される複数の係合溝部１２８は、遊技者が回動操作部材８２を操作する際に手を触れる位置に亘って形成されていてもよい。このような位置に形成すると、遊技者の手に近い位置で所定のクリックが発生するため、より一層操作性の向上、操作フィーリングの向上が図れることとなる。
【００６６】
その場合、前記した係合ユニットや弾性部材も、後方取付部材８０のカバー部８０ｂにおいて、複数の係合溝部１２８に係合可能な位置に配置されることとなる。
【図面の簡単な説明】
【００６７】
【図１】パチンコ遊技機の正面図である。
【図２】ガラス枠と上皿ユニットとを省略して前面下部ユニット（下皿ユニット）を取り外した状態におけるパチンコ遊技機の斜視図である。
【図３】（ａ）は下皿ユニットの斜視図、（ｂ）は第２カバー部材を取り付ける前の下皿ユニットの斜視図である。
【図４】下皿ユニットの表側から見た分解斜視図である。
【図５】下皿ユニットの裏側から見た分解斜視図である。
【図６】発射ハンドルの表側から見た分解斜視図である。
【図７】発射ハンドルの裏側から見た分解斜視図である。
【図８】（ａ）は発射ハンドルの正面図、（ｂ）は発射ハンドルのＡ−Ａ’断面図、（ｃ）はカバー部の斜視図、（ｄ）は係合ユニットの斜視図である。
【図９】（ａ）は回動操作部材の裏面図、（ｂ）は回動操作部材の裏面から見た斜視図、（ｃ）は後方取付部材のカバー部の正面図、（ｄ）は後方取付部材のカバー部の斜め下方から見た図である。
【図１０】（ａ）は発射ハンドルの右側図、（ｂ）は常態における発射ハンドルのＢ−Ｂ’断面図、（ｃ）は回動状態における発射ハンドルのＢ−Ｂ’断面図である。
【図１１】第２実施形態について、（ａ）は発射ハンドルの前方把持部材及び回動操作部材を取り外した状態の斜視図、（ｂ）は発射ハンドルの前方把持部材及び回動操作部材を取り外した状態の正面図、（ｃ）は発射ハンドルの前方把持部材及び回動操作部材を取り外した状態の分解斜視図である。
【図１２】第２実施形態について、（ａ）は常態における発射ハンドルのＢ−Ｂ’断面図、（ｂ）は回動状態における発射ハンドルのＢ−Ｂ’断面図である。
【図１３】第２実施形態の変形例について、（ａ）は発射ハンドルの前方把持部材及び回動操作部材を取り外した状態の斜視図、（ｂ）は発射ハンドルの前方把持部材及び回動操作部材を取り外した状態の正面図、（ｃ）は発射ハンドルの前方把持部材及び回動操作部材を取り外した状態の分解斜視図である。
【符号の説明】
【００６８】
１    パチンコ遊技機
２    機枠
３    前面枠
４    前面枠本体
４ａ  遊技盤収納部
５    遊技盤
６    表示装置
７    大入賞口
８    一般入賞口
９    アウト口
１０    遊技領域
１１    透明部材保持枠（ガラス枠）
１３    上皿ユニット
１４    前面下部ユニットとしての下皿ユニット
１５    スピーカーユニット
１６    発射装置
２２    発射杵
２３    回動軸
２７    発射レール
３１    球送り装置
３３    球流入口
３５    球送り部材
３８    開閉パネル
３９    上皿
４０    上皿カバー部材
４１    ベース部材
４２    下皿
４５    発射ハンドル
４６    灰皿
６１    第１カバー部材
６２    第２カバー部材
６３    第３カバー部材
６６    挿通孔となる第１カバー部材の半円切欠部
６９    挿通孔となる第２カバー部材の半円切欠部
７８    星型のジョイント部
８０    後方取付部材
８０ａ  取付基部
８０ｂ  カバー部
８１    前方把持部材
８２    回動操作部材
８２ａ  指掛部
８３    回動操作部材の軸
８４    軸受部
８７    ジョイント部
９０    タッチセンサ
９１    ストップスイッチレバー
９２    ベース面
９３ａ  周壁
９３ｂ  周壁
９４    軸用開口
９５    開口周壁
１００  係合ユニット
１００ａ  係合部材
１００ｂ  付勢部材
１０１  係合ユニット収納部
１１０  膨出部
１１１  補強壁部
１２０  ベース面
１２７  凹室内周壁
１２８  係合溝部
１３０  弾性部材
１３０ａ  係合部
１３１  切欠部
１３３  空隙
１３４  係止壁
１３５  規制部
１４０  弾性部材
１４０ａ  係止片
１４１  係止突部
【図１】
2009142409.tif 000003
【図２】
2009142409.tif 000004
【図３】
2009142409.tif 000005
【図４】
2009142409.tif 000006
【図５】
2009142409.tif 000007
【図６】
2009142409.tif 000008
【図７】
2009142409.tif 000009
【図８】
2009142409.tif 000010
【図９】
2009142409.tif 000011
【図１０】
2009142409.tif 000012
【図１１】
2009142409.tif 000013
【図１２】
2009142409.tif 000014
【図１３】
2009142409.tif 000015
【手続補正書】
【提出日】平成20年1月25日(2008.1.25)
【手続補正１】
【補正対象書類名】図面
【補正対象項目名】図３
【補正方法】変更
【補正の内容】
【図３】
2009142409.tif 000016